(57)【要約】【課題】データを取り込み、整理し、共有するためのシステムおよび／または方法を提供する。本発明の諸実施形態は、ウェブページまたは他のデータ・ソースから、前記ウェブページを去ってナビゲートする必要なしにデータを取り込み、整理し、および／または共有することを許容する。【解決手段】データ・ソースから取り込まれた視覚的データを保存する方法が開示される。視覚的データが前記ネットワークに結合されたコンピューティング・デバイスからネットワークを介して受信される。視覚的データは画像データおよび非画像データを含む。前記データ・ソースからの選択された視覚的データに基づいて、前記ネットワークに結合されたデータベース中での記憶のために、コンテンツ項目が生成される。【選択図】図１
2009301532.tif 000002
【特許請求の範囲】
【請求項１】
コンテンツ項目を生成する方法を実行するためにコンピュータによって実行されることができるプログラムが具現されたコンピュータ可読記憶媒体であって、前記方法は：
データ・ソースから視覚的データを取り込む要求を受領する段階と；
データ・ソースから選択された視覚的データを受領する段階と；
前記視覚的データに基づいてコンテンツ項目を生成する段階とを有する、
コンピュータ可読記憶媒体。
【請求項２】
コンテンツ項目を生成する前記段階が：
選択された視覚的データの画像情報を第一のサーバーに送る段階と；
前記画像情報を前記第一のサーバーに結合された第一のデータベースに記憶する段階とを有する、
請求項１記載のコンピュータ可読記憶媒体。
【請求項３】
コンテンツ項目を生成する前記段階がさらに：
選択された視覚的データの非画像データを第二のサーバーに送る段階と；
前記非画像データを前記第二のサーバーに結合された第二のデータベースに記憶する段階とを有する、
請求項２記載のコンピュータ可読記憶媒体。
【請求項４】
コンテンツ項目を生成する前記段階がさらに：
前記画像情報および前記非画像データを関連付ける段階と；
前記関連付けを前記第一のデータベース、前記第二のデータベースおよびそれらの任意の組み合わせのうちの一つに記憶する段階とを有する、
請求項３記載のコンピュータ可読記憶媒体。
【請求項５】
選択された視覚的データを受領する前記段階が、前記視覚的データの選択された領域からのデータを受領する段階を有する、請求項１記載のコンピュータ可読記憶媒体。
【請求項６】
コンテンツ項目を生成する前記段階が、選択された視覚的データの前記データ・ソースにアクセスする間に生起する、請求項１記載のコンピュータ可読記憶媒体。
【請求項７】
一組のカテゴリーを提供する段階と；
前記一組のカテゴリーからのあるカテゴリーの選択を受領する段階と；
選択されたカテゴリーを選択された視覚的データと関連付ける段階とをさらに有する、
請求項１記載のコンピュータ可読記憶媒体。
【請求項８】
視覚的データの選択された領域を特定する二組の座標を受領する段階をさらに有する、
請求項５記載のコンピュータ可読記憶媒体。
【請求項９】
前記画像情報に関連付けられた画像についてのテキスト・ストリングを受領する段階と；
前記テキスト・ストリングを前記画像に関連付ける段階とをさらに有する、
請求項２記載のコンピュータ可読記憶媒体。
【請求項１０】
選択されたカテゴリーと関連付けて前記画像情報を表示する段階をさらに有する、
請求項７記載のコンピュータ可読記憶媒体。
【請求項１１】
前記画像情報を表示する前記段階が、前記画像情報に関連付けられた選好を取得する段階を含む、請求項１０記載のコンピュータ可読記憶媒体。
【請求項１２】
前記第一のデータベースから前記画像情報を取得する段階と；
前記第二のデータベースから前記非画像データを取得する段階と；
前記画像情報を表示する段階と；
前記非画像データを表示する段階とをさらに有する、
請求項３記載のコンピュータ可読記憶媒体。
【請求項１３】
前記画像情報を共有する要求を受領する段階をさらに有する、
請求項１２記載のコンピュータ可読記憶媒体。
【請求項１４】
前記視覚的データの選択された領域から選択された視覚的データを受領する前記段階がさらに、前記視覚的データの選択された領域からの選択された視覚的データの境界を示す視覚的な指標を表示する段階を有する、請求項５記載のコンピュータ可読記憶媒体。
【請求項１５】
前記非画像情報が前記視覚的データの普遍リソース位置指定子（URL）を含む、請求項３記載のコンピュータ可読記憶媒体。
【請求項１６】
データを取り込み、送る方法を実行するためにコンピュータによって実行されることができるプログラムが具現されたコンピュータ可読記憶媒体であって、前記方法は：
ディスプレイをもつコンピューティング・デバイスから送信要求を受領する段階と；
前記コンピューティング・デバイスの前記ディスプレイ上に表示されるデータ・ソース内のある取り込み領域を同定する段階と；
前記取り込み領域を前記ディスプレイ上に示す段階と；
前記取り込み領域に基づく視覚的データを受領する段階と；
ある受信者アドレスに関連付けられたデータを受領する段階と；
前記データ・ソースに関連付けられたリンクを前記受信者アドレスに送る段階と；
前記の受領された視覚的データを前記受信者アドレスに送る段階とを有する、
コンピュータ可読記憶媒体。
【請求項１７】
前記コンピューティング・デバイスに選択のために一組のカテゴリーを提供する段階と；
前記コンピューティング・デバイスからあるカテゴリーの選択を受領する段階と；
前記受領された視覚的データの画像情報および非画像情報を選択されたカテゴリーと関連付けて記憶する段階とを有する、
請求項１６記載のコンピュータ可読記憶媒体。
【請求項１８】
リンクを前記受信者アドレスに送る前記段階がさらに：
前記データ・ソースへのリンクを前記含むメッセージを生成する段階と；
前記メッセージを送る段階とを有する、
請求項１６記載のコンピュータ可読記憶媒体。
【請求項１９】
前記の受領された視覚的データを前記受信者アドレスに送る前記段階がさらに：
前記の受領された視覚的データを含むメッセージを生成する段階と；
前記メッセージの生成に際して前記メッセージを送る段階とを有する、
請求項１６記載のコンピュータ可読記憶媒体。
【請求項２０】
ブラウザによってコンピューティング・デバイスのディスプレイ上に表示されたデータ・ソースのある領域を保存する方法を実行するためにコンピュータによって実行されることができるプログラムが具現されたコンピュータ可読記憶媒体であって、前記方法は：
前記データ・ソースのある領域を保存するという要求を受領する段階と；
前記コンピューティング・デバイス上での前記ブラウザの活動を抑制する段階と；
前記データ・ソースのある領域の定義を受領する段階と；
定義された領域の一つまたは複数の境界を表示のために提供する段階と；
定義された領域からの画像データの抽出を開始する段階と；
定義された領域からの非画像データの抽出を開始する段階と；
一組のカテゴリーを提供する段階と；
前記一組のカテゴリーからのあるカテゴリーの選択を受領する段階と；
抽出された画像データおよび抽出された非画像データに基づいてコンテンツ項目を生成する段階と；
ブラウザ活動の前記抑制を解除する段階とを有する、
コンピュータ可読記憶媒体。
【請求項２１】
データ・ソースから取り込まれた視覚的データを保存する方法であって：
前記視覚的データをネットワークを介して該ネットワークに結合されたコンピューティング・デバイスから受領し、前記視覚的データは画像データおよび非画像データを含む、段階と；
前記データ・ソースからの選択された視覚的データに基づくコンテンツ項目を、前記ネットワークに結合されたデータベース中での記憶のために、生成する段階とを有する、
方法。
【請求項２２】
前記コンテンツ項目を生成する前記段階が：
前記コンピューティング・デバイスに、一組のカテゴリーを含む整理オーバーレイを提供する段階と；
前記一組のカテゴリーからのあるカテゴリーの選択を受領する段階とを有する、
請求項２１記載の方法。
【請求項２３】
前記コンピューティング・デバイスの前記ディスプレイ上での表示のためにカテゴリーを提供する段階と；
前記コンピューティング・デバイスから、一つまたは複数のコンテンツ項目の画像データに関連付けられた画像を含むカテゴリー内の配列の様式についての要求を受領する段階と；
前記の要求された配列の様式に基づいて、前記コンピューティング・デバイスの前記ディスプレイ上での表示のために前記一つまたは複数のコンテンツ項目を提供する段階とを有する、
請求項２２記載の方法。
【請求項２４】
前記コンテンツ項目の生成に際して、前記ネットワークを介してアラートを送る段階をさらに有する、請求項２１記載の方法。
【請求項２５】
前記コンピューティング・デバイスがモバイル・デバイスを含む、請求項２１記載の方法。
【請求項２６】
前記コンピューティング・デバイスの前記ディスプレイ上の表示のために、前記視覚的データの画像データに関連付けられた画像を提供する段階と；
前記コンピューティング・デバイスからの前記画像を修正するユーザー入力を受領する段階と；
前記ユーザー入力に従って前記画像を修正する段階とをさらに有する、
請求項２１記載の方法。
【請求項２７】
前記コンピューティング・デバイスの前記ディスプレイ上の表示のために、前記視覚的データの画像データに関連付けられた画像を提供する段階と；
前記コンテンツ項目を複製するユーザー入力を受領する段階と；
複製されたコンテンツ項目を記憶する段階とをさらに有する、
請求項２１記載の方法。
【請求項２８】
前記コンピューティング・デバイスに一組のカテゴリーを提供する段階と；
前記コンピューティング・デバイスから前記一組のカテゴリーからの選択を受領する段階と；
前記コンテンツ項目を選択されたカテゴリーと関連付ける段階とをさらに有する、
請求項２７記載の方法。
【請求項２９】
データ・ソースから取り込まれた視覚的データを共有する方法であって：
視覚的データを、ネットワークに結合された、ディスプレイを有するコンピューティング・デバイスから受領する段階と；
前記コンピューティング・デバイスから受領された視覚的データに基づいてコンテンツ項目を生成する段階と；
前記コンピューティング・デバイスへの第二のユーザー入力から、受信者アドレスに関連付けられたデータを受信する段階と；
前記データ・ソースに関連付けられたリンクを、前記ネットワークに結合された一つまたは複数のウェブ・サーバーを介して前記受信者アドレスに送る段階と；
生成されたコンテンツ項目を前記受信者アドレスに、前記一つまたは複数のウェブ・サーバーを介して送る段階とを有する、
方法。
【請求項３０】
ブラウザによってコンピューティング・デバイスのディスプレイ上に表示されたデータ・ソースから取り込まれた画像データおよび非画像データを保存する方法であって：
前記データ・ソースからの画像データおよび非画像データを、前記コンピューティング・デバイスが結合されているネットワークを介して受信する段階と；
前記ネットワークに結合されたサーバーから受信された一組のカテゴリーを前記コンピューティング・デバイスに提供する段階と；
前記サーバーによって提供された前記一組のカテゴリーから選択されたあるカテゴリーの選択を、前記コンピューティング・デバイスから受領する段階と；
前記データ・ソースからの画像データおよび非画像データに基づいて、前記ネットワークに結合されたデータベース中での記憶のためにコンテンツ項目を生成する段階とを有する、
方法。
【発明の詳細な説明】
【技術分野】
【０００１】
〈関連出願への相互参照〉
本願は、2008年6月13日に出願された、「スクリーンショット・セグメントを取り込み、視覚的に整理するためのシステムおよび方法（System  and  Method  for  Capturing  and  Visually  Organizing  Screen  Shot  Segments）」という名称の米国特許出願第61/061,520号、2008年6月27日に出願された、「スクリーン・セグメントの取り込みおよび共有（Capturing  and  Sharing  Screen  Segments）」という名称の米国特許出願第61/076,586号、2008年9月10日に出願された、「埋め込まれたコンテンツのための方法および媒体（Methods  and  Media  for  Embedded  Content）」という名称の米国特許出願第61/095,925号および2008年10月5日に出願された、「データを取り込み、整理し、共有するためのシステムおよび方法（Systems  and  Methods  for  Capturing,  Organizing,  and  Sharing  Data）」という名称の米国特許出願第61/102,858号の利益を主張するものである。上記米国特許出願の開示はここに参照によって組み込まれる。
【０００２】
〈発明の分野〉
本発明は、一般にはデータ操作に、より詳細にはデータを取り込み、整理し、共有することに関する。
【発明の開示】
【課題を解決するための手段】
【０００３】
本発明の諸実施形態は、データを取り込み（capturing）、整理し（organizing）、共有する（sharing）ためのシステムおよび／または方法を提供する。網羅的でない一覧において、データはウェブページ、ウェブページの一部またはスクリーンショット、オンライン・ビデオのフレーム、画像、バイナリー画像、写真、絵、電子署名、文書、スキャンされた文書、電子メール・メッセージ、ハイパーリンク、テキスト、ウェブ・ブック、オンライン記事、ウェブページ・フォーマッティングおよびそれらの任意の部分および／または組み合わせを含むことができる。いくつかの実施形態では、データはデータ・ソースを介してアクセス可能な視覚的なデータを含みうる。データ・ソースは、上述の型のデータのうちの任意のものまたはその任意の組み合わせを供給、提供、生成、設備、記憶および／または表示するいかなるソースであってもよい。データ・ソースはデータベースを含み、あるいはデータベースに結合されていてもよい。いくつかの実施形態では、データ・ソースはモバイル・デバイスのようなコンピューティング・デバイスを含んでいてもよい。いくつかの実施形態では、データ・ソースはデータ貯蔵所であってもよい。いくつかの実施形態では、データはウェブまたは他のネットワークを介して一つまたは複数のデータ・ソースからオンラインでアクセス可能である。他の実施形態では、データはユーザーのデスクトップ・デバイスまたはモバイル・デバイスからアクセス可能である。
【０００４】
第一の側面では、プログラムが具現されたコンピュータ可読記憶媒体であって、前記プログラムはウェブページからデータを取り込むための方法を実行するためにコンピュータによって実行されることができるものが開示される。ウェブページからデータを取り込むための方法は、ウェブページのデータを取り込む要求を受領することを含む。ウェブページからの選択されたデータが受領される。ウェブページからの選択されたデータに基づいてコンテンツ項目が生成される。
【０００５】
第二の側面では、プログラムが具現されたコンピュータ可読記憶媒体であって、前記プログラムはウェブページのようなコンテンツ・ページのセグメントを取り込み、送るための方法を実行するためにコンピュータによって実行されることができるものが開示される。本方法は、ユーザー・デバイスからの送信要求を受領することを含む。ユーザー・デバイス・ディスプレイ上に表示されたウェブページ内の取り込み領域が同定される。取り込み領域はディスプレイ上に示される。取り込み領域に基づくデータが受信される。受信者アドレスに関連付けられたデータが受領される。前記ウェブページに関連付けられたリンクが前記受信者アドレスに送られる。前記の受信されたデータはそのアドレスに送られる。
【０００６】
第三の側面では、プログラムが具現されたコンピュータ可読記憶媒体であって、前記プログラムは、ブラウザによってコンピューティング・デバイスのディスプレイ上に表示されたウェブページのある領域を保存するための方法を実行するためにコンピュータによって実行されることができるものが開示される。本方法は、ウェブページのある領域を保存するというブラウザのユーザーからの要求を受領することを含む。ブラウザ活動は、コンピューティング・デバイス上では抑制される。ウェブページの領域の定義が受領される。定義された領域の一つまたは複数の境界がブラウザ上で提供される。定義された領域からの画像データの抽出が開始される。定義された領域からの非画像データの抽出が開始される。一組のカテゴリーが提供される。あるカテゴリーの選択が受領される。抽出された画像データおよび抽出された非画像データに基づいてコンテンツ項目が生成される。好ましくは、前記ウェブページの定義された領域からの前記抽出された画像データおよび前記抽出された非画像データの関連付けに基づいて、関連付け項目（the  item  of  association）が生成される。ブラウザ活動の抑制は解除される。
【０００７】
第四の側面では、データ・ソースから取り込まれた視覚的データを保存する方法が開示される。データ・ソースから取り込まれた視覚的データは、ネットワークを介して、該ネットワークに結合されたコンピューティング・デバイスから受信される。視覚的データは画像データおよび非画像データを含む。前記データ・ソースからの選択された視覚的データに基づくコンテンツ項目が、前記ネットワークに結合されたデータベース中での記憶のために、生成される。
【０００８】
第五の側面では、データ・ソースからの視覚的データを共有する方法が開示される。視覚的データはネットワークに結合されたコンピューティング・デバイスから受信される。コンピューティング・デバイスはディスプレイをもつ。コンピューティング・デバイスから受信された視覚的データに基づいてコンテンツ項目が生成される。前記コンピューティング・デバイスへの第二のユーザー入力から、受信者アドレスに関連付けられたデータが受信される。前記データ・ソースに関連付けられたリンクが前記受信者に、前記ネットワークに結合された一つまたは複数のウェブ・サーバーを介して送られる。生成されたコンテンツ項目は前記受信者アドレスに、前記一つまたは複数のウェブ・サーバーを介して送られる。
【０００９】
第六の側面では、ブラウザによってコンピューティング・デバイスのディスプレイ上に表示されたデータ・ソースのある領域を保存する方法が開示される。前記データ・ソースからの画像データおよび非画像データがネットワークを介して受信される。前記コンピューティング・デバイスは前記ネットワークに結合される。一組のカテゴリーが前記ネットワークに結合されたサーバーから受信され、前記コンピューティング・デバイスに提供される。前記データ・ソースからの画像データおよび非画像データに基づいて、前記ネットワークに結合されたデータベース中での記憶のためにコンテンツ項目が生成される。
【００１０】
本項で記載される方法は、記憶媒体（たとえばコンピュータ可読媒体）上に記憶されている一組の命令を介して実行されてもよい。該命令は、プロセッサによって取得され、実行されてもよい。命令の例をいくつか挙げると、ソフトウェア、プログラム・コードおよびファームウェアがある。記憶媒体の例をいくつか挙げると、メモリ・デバイスおよび集積回路がある。命令は、プロセッサによって実行されるときに、該プロセッサに本発明の諸実施形態に基づいて動作するよう指令するよう機能する。当業者は命令、プロセッサおよび記憶媒体にはなじみがある。
【発明を実施するための最良の形態】
【００１１】
ワールド・ワイド・ウェブは膨大な情報の源である。ユーザーはモジラまたはインターネット・エクスプローラといったブラウザをコンピューティング・デバイス上で走らせることによってウェブ上のコンテンツにアクセスできる。コンピューティング・デバイスはデスクトップ・コンピュータ、ラップトップまたはコンピューティングを行う他のいかなる装置であってもよい。莫大な情報がワールド・ワイド・ウェブ以外のネットワークに結合されたデータ・ソースを介してアクセス可能でありうる。たとえば、構内ネットワーク、広域ネットワークおよび／または移動体ネットワーク内の一つまたは複数のデータ・ソースによって供給されることができる。本発明の諸実施形態は、ウェブページまたは他のデータ・ソースから、前記ウェブページを去ってナビゲートする必要なしにデータを取り込み、整理し、および／または共有することを許容する。そのようなデータは、データ・ソースから去ってナビゲートすることなく、コンピューティング・デバイスからローカルにアクセスされてもよい。これは今度は、最小限の中断でインターネットまたは他のデータ・ソースを通じてシームレスにナビゲートまたは「サーフィン」しながらの、より便利なデータ取り込み、整理および／または共有を許容する。選択されたデータが、記憶および／または共有されうるよう取り込まれる。いくつかの実施形態では、取り込まれたデータの共有および記憶は、一つまたは複数のユーザー・アカウントを管理しうるアプリケーションおよび／またはネットワーク・サービスによって容易にされてもよい。
【００１２】
本発明の諸実施形態は、データを取り込み、整理し、共有するためのシステムおよび方法を提供する。網羅的でない一覧において、データはウェブページ、ウェブページの一部またはスクリーンショット、オンライン・ビデオのフレーム、電子署名、画像、バイナリー画像、写真、絵、電子署名、文書、スキャンされた文書、電子メール・メッセージ、ハイパーリンク、テキスト、ウェブ・ブック、オンライン記事、ウェブページ・フォーマッティングおよびそれらの任意の部分および／または組み合わせを含むことができる。いくつかの実施形態では、データはデータ・ソースを介してアクセス可能な視覚的なデータを含みうる。データ・ソースは、上述の型のデータのうちの任意のものまたはその任意の組み合わせを供給、提供、生成、設備、記憶および／または表示するいかなるソースであってもよい。いくつかの実施形態では、データ・ソースはデータベースを含み、あるいはデータベースに結合されていてもよい。いくつかの実施形態では、データ・ソースはデータ貯蔵所であってもよい。いくつかの実施形態では、データはウェブまたは他のネットワークを介して一つまたは複数のデータ・ソースからオンラインでアクセス可能である。他の実施形態では、データはユーザーのデスクトップ・デバイスまたはモバイル・デバイスからアクセス可能である。好ましくは、取り込まれるデータは画像のデータである。画像に関連付けられたメタデータが、ユーザーがその画像が取られたもとのソースに戻ることができるようソースの識別情報を提供する、URL、ファイル・ポインタ、タグまたは他の情報を指定できる。さらに、画像に関連付けられうるメタデータはテキスト、リンク、スクリプト、アプレット、当該画像の属性および／またはその他を含んでいてもよい。いくつかの実施形態では、メタデータは画像の選択領域内に囲まれたテキスト、ユーザーが追加したコメントおよび他の任意の非画像データを含んでいてもよい。画像データおよびメタデータはコンテンツ項目に関連付けられてもよい。以下の議論は例示的なデータ・ソースとしてウェブページの詳細に係るが、当業者は、その議論がコンピューティング・デバイスおよび／またはネットワークにアクセス可能でありうる任意のデータ・ソースに係るものであることを理解するであろう。さらに、本技術は視覚的データがアプリケーションおよび／またはネットワーク・サービスを介して取り込まれ、整理され、および／または共有されることを許容する。
【００１３】
図１は、本発明の諸実施形態に基づく、例示的なネットワーキング環境１００である。本稿で言及されるあらゆる図面について、全体を通じて、同様の符号が付けられた要素は同様の要素を表す。ネットワーキング環境１００はネットワーク１１０、モバイル・デバイス１３０、サーバーＡ１４０およびＢ１４２、データベースＡ１５０およびＢ１５２、クライアントＡ１２０、Ｂ１２４およびＺ１２８ならびにタワー１６０を含む。ネットワーク１１０はいかなる型のネットワークであることもでき、これに限られないが、インターネット、LAN、WANおよびデータへのアクセスを許容する他の任意の通信ネットワークならびにこれらの任意の組み合わせを含みうる。ネットワーク１１０は、サーバーＡ１４０およびＢ１４２、クライアント１２０、１２４および１２８ならびにモバイル・デバイス１３０に結合される。
【００１４】
サーバーＡ１４０およびＢ１４２はそれぞれデータベースＡ１５０およびＢ１５２に結合される。当業者には、本発明がいかなる特定の型のネットワーク、サーバーおよび／またはデータベースにも限定されないことは明白であろう。いくつかの実施形態では、サーバーＡ１４０およびＢ１４２は、ネットワーク１１０を介して情報を制御およびルーティングするよう、またデータベースＡ１５０およびＢ１５２上に記憶されたデータにアクセスし、これを取得し、記憶し、他の仕方で処理するよう構成される。いくつかの実施形態では、サーバーＡ１４０およびＢ１４２はウェブ・サーバーを含む。データベースＡ１５０およびＢ１５２は、データを記憶し、管理するよう構成される。いくつかの実施形態では、データベースＡ１５０およびＢ１５２は、ウェブページ、ローカル・クライアント・デバイスおよび／または他のデータ・ソースから取り込まれたデータまたは他の仕方でアクセス又は取得されたデータを記憶するよう構成される。データベースＡ１５０およびＢ１５２はまた、ネットワーク・サービスのためのユーザー・アカウント・データも記憶および管理してもよい（図示せず）。たとえば、データベースＡ１５０およびＢ１５２は一つまたは複数のユーザー・アカウントの現在のスナップショットを有するデータを記憶および管理してもよい。もう一つの例では、データベースＡ１５０およびＢ１５２はウェブページの選択された領域の画像および／または前記選択された領域に関連付けられたメタデータを有するデータを記憶および管理する。いくつかの実施形態では、スナップショットはボックスの現在の内容および／またはボックスの状態を保持する。
【００１５】
データベースＡ１５０およびＢ１５２は、履歴行動ログをも含んでいてもよい。たとえば、データベースＡ１５０およびＢ１５２はあるユーザー・アカウントに関連付けられたおよびユーザーによって生成される（一つまたは複数のサーバーとの関連で）電子メールについての情報を記憶してもよい。前記情報は、ネットワーク・サービスによって、あるいは該ネットワーク・サービスとは提携していないサービスによって記憶されてよい。前記情報は、ユーザーのボックス内のコンテンツの項目への直接リンクを提供してもよい。さらに、データベースＡ１５０およびＢ１５２はそのような電子メールが送られたかどうかについての情報、タイムスタンプ情報（いつ送られたかなど）および電子メールの内容を記憶することができる。
【００１６】
ネットワーキング環境１００は、クライアントＡ１２０、Ｂ１２４およびＺ１２８ならびにモバイル・デバイス１３０のような一つまたは複数のコンピューティング・デバイスにサービスするよう構成される。当業者は、ネットワーキング環境１００が単に例示的であり、図１に示されているものに限定されないことを理解することができる。たとえば、図１はネットワーキング環境１００が三つのクライアント（すなわち、クライアントＡ１２０、クライアントＢ１２４およびクライアントＺ１２８）を含むことを示しているものの、ネットワーク１１０によってサービスされるクライアントはいくつでもよい。クライアントＡ１２０、Ｂ１２４および／またはＺ１２８はウェブ・サーバーとして実装されてもよいし、あるいは一つまたは複数のウェブ・サーバーと通信していてもよい。さらに、クライアントＡ１２０、Ｂ１２４および／またはＺ１２８は互いと結合され、或いは互いと通信していることができる。換言すれば、クライアントＡ１２０およびＢ１２４は互いとネットワーク１１０を通じて、あるいは他の任意の仕方を通じて通信できる。同様に、ネットワーキング環境にはいくつのサーバー、データベース、ネットワークおよびモバイル・デバイスが含まれることもできる。
【００１７】
この技術は、記憶媒体（たとえばコンピュータ可読記憶媒体）上に記憶される命令の組を含むアプリケーションを介して実行されてもよい。そのようなアプリケーションはデスクトップ・アプリケーションを含んでいてもよい。命令の組は、プロセッサによって取得および実行されてもよい。命令のいくつかの例は、ソフトウェア、プログラム・コードおよびファームウェアを含む。記憶媒体のいくつかの例は、メモリ・デバイスおよび集積回路を含む。命令は、プロセッサによって実行されると、該プロセッサに本発明の諸実施形態に基づいて動作するよう指令するよう機能する。命令、プロセッサおよび記憶媒体は当業者にはおなじみである。そのような記憶媒体は、たとえばクライアントＡ１２０、Ｂ１２４およびＺ１２８において、またデータベース１５０および１５２において利用可能であってもよい。そのようなプロセッサはたとえば、サーバーＡ１４０およびＢ１４２において、またはクライアントＡ１２０、Ｂ１２４およびＺ１２８において利用可能であってもよい。
【００１８】
ネットワーキング環境１００の一つまたは複数のクライアントはアプリケーション（たとえば、デスクトップ・アプリケーション）を含みうる。さらに、一つまたは複数のクライアントは、ウェブ・ブラウザを表示しうるディスプレイを含んでいてもよい（図示せず）。いくつかの実施形態では、デスクトップ・アプリケーションは、サーバー、クライアント、モバイル・デバイスまたは他の何らかのデバイスのローカル・メモリ上に記憶され、デバイスのオペレーティング・システム上で実行されるアプリケーションである。たとえば、デスクトップ・アプリケーションはクライアント・アプリケーションとして実装されてもよい。例示的な図１に示されるように、クライアントＡ１２０はアプリケーション１２２を有する。アプリケーション１２２はクライアント・アプリケーション、デスクトップ・アプリケーションまたはスタンドアローンのアプリケーションでありえ、メモリ内に記憶され、プロセッサによって実行されうる。同様に、クライアントＢ１２４はアプリケーション１２６を有する。当業者は、アプリケーション１２２がクライアントＡ１２０のデスクトップに常駐している必要はないことを理解するであろう。本稿で記載されるように、アプリケーション１２２はクライアントＡ１２０にいかなる仕方で結合されることもできる。アプリケーションはウェブ・ベースのアプリケーションであってもよい。
【００１９】
図１はさらに、クライアントＺ１２８がアプリケーションをもたないことを示している。本技術が前記アプリケーションをもつクライアント（クライアントＡ１２０およびＢ１２４のような）ならびに前記アプリケーションをもたないクライアント（クライアントＺ１２８のような）にとってどのように機能するかについては、さらなる詳細が本稿で後に与えられる。本稿で後に記載される個別的な諸実施形態のコンテキストでは、クライアントＡ１２０およびＢ１２４は、いずれも関連付けられたアプリケーションをもつので、ネットワーク・サービス・ユーザーと考えられてもよい。クライアント・アプリケーションやデスクトップ・アプリケーションをもたないクライアントであるクライアントＺ１２８は、関連付けられたアプリケーションをもたないので、前記ネットワーク・サービスの非ユーザーと考えられる。そのようなアプリケーション１２２および１２６は、アイコンおよび他のグラフィック画像のようなグラフィックを、それぞれクライアントＡ１２０およびＢ１２４のディスプレイ（図示せず）を通じて提供されるグラフィック・インターフェース上でレンダリングしてもよい。
【００２０】
引き続き図１を参照するに、モバイル・デバイス１３０が本技術に基づくコンピューティング・デバイスとしてはたらいてもよい。モバイル・デバイス１３０は、アプリケーション１２２および１２６のようなデスクトップ・アプリケーション、クライアント・アプリケーションおよび／またはスタンドアローンのアプリケーションとして実装されてもよい。同様に、モバイル・デバイス１３０は、ウェブ・ブラウザを表示しうるディスプレイ（図示せず）を含んでいてもよい。モバイル・デバイス１３０はネットワーク１１０によってサービスされてもよく、一つまたは複数のタワー１６０およびネットワーク１１０に動作可能に結合されてもよい。いくつかの実施形態では、モバイル・デバイス１３０は、サーバーＡ１４０およびＢ１４２のような一つまたは複数のサーバーによってネットワーク１１０を介してサービスされるクライアントである。いくつかの実施形態では、モバイル・デバイス１３０はアプリケーション１３２を含み、これを実行するよう動作可能である。モバイル・デバイス・アプリケーション１３２はデータを取り込みうる。例示的なデータは、モバイル・デバイスにローカルなデータを含みうる。モバイル・デバイス１３０は、アプリケーション１３２を介してデータベースＡ１５０およびＢ１５２のような一つまたは複数のデータベース上に記憶されるよう、取り込まれたデータを送信してもよい。他の実施形態では、モバイル・デバイス１３０はアプリケーションを含まない。当業者は、図１は一つのモバイル・デバイス１３０しか示していないが、ネットワーク１１０がいかなる数および／または型のモバイル・デバイスにサービスするよう構成されてもよいことを認識するであろう。
【００２１】
ある実施形態では、クライアント・デバイスのユーザーは、ネットワーク１１０を通じてサーバーを介してユーザー・アカウントにログインして、そのサーバーとの接続を確立してもよい。ひとたび接続が確立されると、ユーザーは、取り込まれたコンテンツをネットワーク１１０を介して受信および送信し、そのコンテンツを他者と共有するために、サーバーとの通信を開始しうる（たとえば本技術のアプリケーションを通じて）。さらに、ユーザー・アカウントを、他のユーザー・アカウントに関連付けられたコンテンツにアクセスするために使ってもよい。たとえば、ユーザー・アカウントは、他のユーザーによって取り込まれ、その特定のユーザーと共有されるコンテンツにアクセスするために使用されてもよい。
【００２２】
前記アプリケーション（図１のアプリケーション１２２のような）には、多様な仕方でアクセスできる。いくつかの実施形態では、ユーザーが前記アプリケーションをインストールする。たとえば、アプリケーションはウェブ・ブラウザへのアドオンを実装するコードとしてインストールされてもよい（図示せず）。いくつかの実施形態では、前記アプリケーションは、実行されたときに本稿に記載される諸実施形態に基づく一つまたは複数の方法を実行する一つまたは複数のスクリプトを組み込む。他の実施形態では、ユーザーが自分のコンピュータで実行するためにクライアント・アプリケーションのようなアプリケーションをインストールする。いくつかの実施形態では、前記クライアント・アプリケーションは、本稿で記載される実施形態に基づく一つまたは複数の方法を実行するよう構成されることができる。上で論じたように、前記アプリケーションはデスクトップ・アプリケーション、クライアント・アプリケーションまたはスタンドアローンのアプリケーションとして実装されることができる。いくつかの実施形態では、前記アプリケーションはオペレーティング・システムの一部として実装されることができる。いずれにせよ、前記アプリケーションはオペレーティング・システムによって提供されるグラフィック・インターフェース上で見ることができる。たとえば、前記アプリケーションは、プログラム・アイコンおよび他のグラフィックを表示する「デスクトップ」画像上で見られてもよい。アプリケーション・アイコンが用意され、そのアプリケーション・アイコンをユーザーが選択またはクリックすることによって前記アプリケーションを立ち上げるのでもよい。別の例では、前記アプリケーションはコンテキスト・メニュー項目を通じて開始できる。たとえば、ユーザーはコンテキスト・メニュー項目上で右クリックして、結果として得られる、「アプリケーションを開始」のような、前記アプリケーションを開始させることに関連付けられたメニュー項目を選択してもよい。いくつかの実施形態では、前記アプリケーションはバックグラウンドで実行されてもよい。メッセージは、前記アプリケーションを開始するために、コンテキスト・メニュー、ツールバーまたは他の任意の手段から渡されてもよい。
【００２３】
前記アプリケーション（クライアント・アプリケーション、ブラウザ・アプリケーション・アドオンまたは他の何らかの実施形態としてのいずれで実装されていようと）は、ブラウザ・ウィンドウのツールバー上のいくつかのボタンをインストールしてもよい。例示的なツールバー５１０が図５、図１０および図１１に示されている。ユーザーがこれらのボタンの一つをクリックすると、前記アプリケーションはユーザーがブラウザ上でそのウェブページから去ってナビゲートする必要なしに、現在のウェブページからコンテンツ項目を取り込むプロセスを開始する。そのようなプロセスが図５〜図１０に示される。取り込まれたコンテンツは、テキスト、画像、メタデータ、ビデオ、リンク、タグ、データベースおよび／またはその他を含んでいてもよい。他の機能がツールバー上で利用可能であってもよい。たとえば、ローカル・コンピュータ・ディスプレイからのコンテンツの取り込みを許容するボタン、あるいはネットワーク・サービスにアクセスするボタンが提供されてもよい（図示せず）。いくつかの実施形態では、ツールバー上にアラート・ウィンドウが位置されていてもよい。アラート・ウィンドウはユーザーに新しいコンテンツ項目を通知するはたらきをする。図１１にアラート・ウィンドウ１１１０の例が示されている。いくつかの実施形態では、ツールバーがブラウザ・ウィンドウ上にインストールされ、アプリケーションがバックグラウンドで走ってもよく、ユーザーはアプリケーションにログインする必要がなくてもよい。
【００２４】
図２は、ウェブページからデータを取り込む方法２００を示すフローチャートである。ステップ２０２で、ウェブページのデータを取り込む要求がクライアントから受領される。ステップ２０４で、取り込まれるべきウェブページの選択されたデータがクライアントから受領される。ステップ２０６では、ウェブページの選択されたデータが取り込まれる。データは画像データおよび／またはメタデータであってもよい。選択されたデータからコンテンツ項目が生成されてもよい。次いで、ステップ２０８で、取り込まれたデータまたは取り込まれたデータのセグメントが少なくとも一つのサーバーおよび／または少なくとも一つのデータベースに送られる。好ましくは、取り込まれたデータまたは取り込まれたデータのセグメントはサーバーおよび／またはデータベース上で記憶され、取り込まれたデータまたは取り込まれたデータのセグメントがのちに見るために取得できるようにされる。いくつかの実施形態では、アプリケーションはステップ２０６でウェブページからの選択されたデータを取り込み、ステップ２０８で、取り込まれたデータをサーバー（たとえば、図１のサーバーＡ１４０および／またはサーバーＢ１４２）に送る。たとえば、ユーザーはサーバーＡ１４０が受信するデータを取り込む要求をしてもよい。サーバーＡ１４０は、アプリケーションが要求を実行するよう指令してもよく、取り込まれたデータはサーバーＡ１４０および／またはサーバーＢ１４２によってユーザーからそのアプリケーションを介して受信されてもよい。
【００２５】
方法２００の追加的ステップ（図示せず）として、コンテンツ項目にタグが関連付けられるよう、コンテンツ項目のユーザー・タグ付け命令を受領することが含まれてもよい。たとえば、コンテンツ項目中の取り込まれた画像の一部分または取り込まれた画像中の一点がユーザーが供給したテキストまたはリンクと関連付けられることができる。また、方法２００は、コンテンツ項目についてのユーザー説明を受領し、そのコンテンツ項目をそのユーザー説明と関連付けることを含むこともできる。
【００２６】
図３は、データを「ボックス指定して保存する（Box  and  Save）」方法３００を与えている。ステップ３０２で、ウェブページのデータを「ボックス指定して保存する」要求が受領される。ステップ３０４で、ウェブページからの選択されたデータが受領される。選択されたデータは、たとえば、選択されたデータに対応するウェブページからの画像情報および／またはウェブページに関連付けられたメタデータを含んでいてもよい。いくつかの実施形態では、メタデータは、ウェブページからの選択されたデータに対応する非画像データを含んでいてもよい。ステップ３０６で、一組のカテゴリーが、ウェブページ内、あるいはブラウザによって提供されるグラフィック・インターフェース内に、本技術の前記アプリケーションによって提供される。ステップ３０８で、前記組のカテゴリーからのあるカテゴリーの要求が、選択されたカテゴリーを選択されたデータに関連付けるよう、ユーザーから本技術の前記アプリケーションまたはブラウザ・アプリケーションを通じて受領される。
【００２７】
ステップ３１０では、情報は選択されたーデータに関連付けられる。いくつかの実施形態では、前記情報は（これに限られないが）一つまたは複数のカテゴリー、電子メール・アドレス、メタデータ、タグ、キーワード、バイナリー・データおよび／またはテキスト・データを含む。いくつかの実施形態では、情報は、ウェブページ内の選択された領域の位置および大きさを含む。たとえば、位置は、高さ、幅およびウェブページの左上隅からのオフセットのようなパラメータによって定義されるような、取り込まれた領域のウェブページ上での位置を含んでいてもよい。前記アプリケーションは選択された領域の画像を表示してもよい。ステップ３１２で、選択されたデータおよび／または選択されたデータに関連付けられた情報が一つまたは複数のデータベースに送られる。いくつかの実施形態では、前記データおよび／または情報がクライアント・デバイスから一つまたは複数のデータベースに、アプリケーションによって、一つまたは複数のサーバーを介して送信される。たとえば、選択された領域の画像は、サーバーＡ１４０を通じてデータベースＡ１５０に送られてもよく、関連付けられた情報はサーバーＢ１４２を通じてデータベースＢ１５２に送られてもよい（図１）。関連付けられた画像の識別情報が、関連付けられた情報と一緒に、データベースＢ１５２中に記憶されてもよい。
【００２８】
図４は、「ボックス指定して送る（Box  and  Send）」コマンドを実行するための例示的な方法４００のフローチャートである。ステップ４０２で、ウェブページからのデータを「ボックス指定して送る」要求が受領される。ステップ４０４で、ウェブページからの選択されたデータが受領される。ウェブページ・データ選択は、図３に関して上で論じた仕方でユーザーによって実行されてもよい。
【００２９】
ステップ４０６で、電子メール・メッセージが生成される。電子メール・メッセージは、選択されたデータへのハイパーリンクなどといった、選択されたデータに関する情報を提供するよう構成される。そのようなハイパーリンクは、取り込まれたコンテンツ項目のソースであるウェブページにリンクするURL（ウェブ・アドレスのような）であってもよい。前記コンテンツ項目はたとえば、本項で先に「ボックス指定して保存」に関して記述したように、画像および関連付けられた情報およびデータを含む。いくつかの実施形態では、電子メール・メッセージはコンテンツ項目の画像またはコピーを含む。ステップ４０８で、電子メール・メッセージはユーザーによって特定された受信者に送られる。たとえば、アプリケーションはユーザーに、ユーザーが連絡先または前記メッセージについての他の宛先を選択することを許容するインターフェースを提供してもよい。いくつかの実施形態では、電子メール・メッセージはユーザーによって特定された複数の受信者に送られる。
【００３０】
方法４００の追加的なステップ（図示せず）は、選択されたデータが記憶されるよう、コンテンツ項目を一つまたは複数のサーバーおよび／または一つまたは複数のデータベースに送ることを含む。また、方法４００は、コンテンツ項目を、そのユーザーのアカウント中のカテゴリーの組のうちからの選択されたカテゴリーに関連付けることを含むことができる。
【００３１】
「ボックス指定して保存」コマンドが本技術を使って実行されるとき、方法２００、３００、１４００および１６００の諸部分が実行されうる。同様に、「ボックス指定して送る」コマンドが本技術を使って実行されるとき、方法２００、４００、１４００および１５００の諸部分が実行されうる。アプリケーションは、「ボックス指定して保存」動作と「ボックス指定して送る」動作の区別をしうるよう知的であってもよい。図５〜図１２は、方法２００〜４００のさまざまな部分を示すスクリーンショットを示しており、前記諸方法が実行される間にコンピューティング・デバイス上のディスプレイを介してユーザーが見ることがありうるものである。
【００３２】
例示的なアプリケーションのコンテキストにおける「ボックス指定して保存」プロセスの例が図５、図６および図７に示されている。「ボックス指定して保存」プロセスはアプリケーション（図１のアプリケーション１２２または１３２のような）によって実行可能であってもよい。たとえば、図５は、本発明の諸実施形態に基づく、データが取り込まれうるもとになるウェブページ５００およびツールバー５１０を示している。ユーザーがツールバー５１０において「ボックス指定して保存」ボタンをクリックするとき、ブラウザが無効にされる。アプリケーションはコンピューティング・デバイス上に表示されているウェブページの画像を調整してもよい。たとえば、アプリケーションはウェブページを淡色化したり、灰色にしたりしてもよい。図６は、図２および図３に記載された方法に基づく、灰色にされた図５のウェブページ６２０およびツールバー５１０を示している。灰色にされたウェブページ６２０は、ウェブページ５００のどの部分が取り込まれうるかを示す領域選択オーバーレイの部分を形成してもよい。プロンプトによって、保存されるべきウェブページの領域を定義することに関するガイダンスが提供されてもよい。例示的なプロンプト６３０が図６に示されている。
【００３３】
図７は、保存されるべきウェブページの領域７２０の定義を示している。そのような定義はたとえば、カーソルを動かして左マウス・ボタンをクリックしてコンテンツ項目の左上隅を指定し、カーソルがコンテンツ項目の右下隅にあるときに左マウス・ボタンを放すことによって、コンピューティング・デバイスへのユーザー入力によってなされてもよい。コンテンツ項目は、ユーザーが記憶および／または共有することを望むウェブページの領域によって定義される。いくつかの実施形態では、境界７４０のような境界が、領域選択オーバーレイに関してコンテンツ項目のデータ取り込みの範囲を示してもよい。アプリケーションが表示の中に境界を位置させてもよい。たとえば、境界７４０は、コンテンツ項目に関連付けられるべき画像がミュージシャンP・J・ハーヴェイの上半身を含むが、ウェブページ６２０の灰色にされた部分に残っているギターのピンは含まないべきであることを示す長方形の境界である。そのような境界は、コンピューティング・デバイスのディスプレイ上でハイライトされてもよく、それは図７では点線の長方形として示されている。いくつかの実施形態では、アプリケーションは色、たとえばオレンジを使って境界をハイライトする。領域選択オーバーレイおよび／または灰色にされたウェブページ６２０から選択された領域をさらに区別するために、選択された領域は淡色化を解除されてもよい。当業者は、図７では選択された領域は長方形として示されているものの、他の形、たとえば円、卵形、楕円、多角形、不定形状および／またはその他が使われてもよいことを認識するであろう。同様に、選択されたデータの境界を区別する、および／または選択された領域を領域選択オーバーレイから区別する他の方法が使われてもよい。さらに、前記画像情報および／または前記ウェブページに関連付けられた非画像情報がコンテンツ項目に関連付けられてもよい。プロンプトが、コンテンツ項目の記憶についてのガイダンスを提供してもよい。図７では例示的なプロンプト７５０が示されている。さらに、選択されたデータの二つ以上の領域が定義され、および／または一つまたは複数のユーザー入力から取り込まれてもよい。よって、二つ以上の取り込み領域が一つの取り込みにおいて定義されてもよく、そのような取り込みからの生成されるコンテンツ項目はメタデータを共有してもよい。
【００３４】
ボックス・バー７３０が図７および図８に示されている。コンテンツ項目は、ボックス・バー内のカテゴリーと関連付けられて記憶されていてもよい。ボックス・バー内のカテゴリーは、ボックスおよび／またはコンテナを含むが、これに限定されるものではない。さまざまなカテゴリーへの関連付けはいくつかの方法でなされうる。図８では、コンテンツ項目の画像をボックス・バーの近くへのドラッグすることが、さまざまなカテゴリー内への関連付けのためのさらなるプロンプトを提供する。関連付け８１０（「スタッフ（Stuff）」）のための例示的なプロンプトが図８に示されている。図８はまた、コンテンツ項目の「Stuff」ボックス８２０への関連付けも示している。マウス・ボタンを放すと、選択された領域によって定義されるコンテンツ項目が保存されうる。
【００３５】
「ボックス指定して保存」とは違って、「ボックス指定して送る」は画像をボックス・バー７３０のようなボックス・バーにドラッグすることによる取り込み領域の定義は必要としなくてもよい。その代わり、ひとたびディスプレイ上で取り込み領域が定義されると、メッセージの用意を支援するためにダイアログ・ボックスが提供されてもよい。電子メール・メッセージの用意において使用されうる見本ダイアログ・ボックス９１０が図９に示されている。ダイアログ・ボックス９１０は、メッセージ定義および／または詳細の入力を要求する複数のフィールドを含みうる。たとえば、電子メールの一または複数の受信者の入力のために、ダイアログ・ボックス９１０は電子メール・アドレス・フィールド９２０を提供する。いくつかの実施形態では、ダイアログ・ボックス９１０は、受信者アドレスを選択するもとになる受信者リスト９３０をも提供しうる。ダイアログ・ボックス９１０はまた、件名フィールド９４０およびメッセージ本文フィールド９５０のような、電子メール・メッセージのパーソナル化を許容しうるフィールドも提供しうる。また、コンテンツ項目をユーザー・アカウント中のあるカテゴリー（たとえば、ボックスおよび／またはコンテナ）に関連付けて記憶するために、保存選択（a  save  selection）９６０が提供されうる。保存選択９６０において、カテゴリーの選択が提供されてもよい。
【００３６】
ひとたび送信要求が送られると（たとえば、「メッセージを送信」ボタンがクリックされると）、図１におけるサーバーＡ１４０およびＢ１４２のような一つまたは複数のサーバーが通信を受信する。この通信は、画像データおよびメタデータ、すなわちその画像情報に関連付けられた情報および／またはキーワードを含んでいてもよい。そのすべては第三者（たとえば生成された電子メールの一または複数の受信者）に送られるメッセージ中に含められてもよい。いくつかの実施形態では、第三者は、図１のクライアントＺ１２８のようなアプリケーションの非ユーザーである。一または複数のサーバーが電子メール情報を取得してもよい。この電子メール情報は、たとえば電子メールの内容、電子メールの意図された受信者、電子メールの件名および画像および／またはコンテンツ項目のコピーが保存されたかどうかである。ユーザーが画像のコピーを保存しないことを選ぶ場合、前記一つまたは複数のサーバーは前記情報を記録してもよく、前記画像はそれでも一つまたは複数のサーバーに送達されてもよいが、コンテンツ項目は上で論じたようにあるカテゴリーに記憶されなくてもよい。この電子メールは次いで複数の受信者に転送されてもよい。該受信者は（図１のアプリケーション１２２のような）アプリケーションを有していてもいなくてもよく、前記ネットワーク・サービスのユーザーであってもなくてもよい。
【００３７】
いくつかの実施形態では、図１におけるアプリケーション１２２のようなアプリケーションは、ダイアログ・ボックスを提供し、管理しうる。いくつかの実施形態では、ダイアログ・ボックスは、ブラウザ・アプリケーションにおいて、上で論じたボックス・バー７３０（図７）と同様の仕方でレンダリングされる。たとえば、ダイアログ・ボックスはサーバーで生成されたHTMLにおいて提供されることができる。
【００３８】
図１０は、ダイアログ・ボックス９１０へのコンテンツ入力から生成されうる例示的な電子メール・メッセージ１０００を示している。電子メール・メッセージ１０００は「ボックス指定して保存」または「ボックス指定して送る」コマンドの実行の結果として、受信者によって受信されうる。電子メール・メッセージ１０００はコンテンツ項目１０３０および好ましくは挨拶１０１０を含む。前記メッセージが開かれるとき、コンテンツ項目１０３０と一緒に「訪問する」ボタンまたはリンクが表示されてもよい。例示的な「訪問する」ボタンまたはリンク１０２０が図１０に示されている。「訪問する」ボタンはソース・ウェブページをそのユーザーのためにブラウザ内で開いてもよい。あるいはまた、ソース・ウェブページは新しいウィンドウ内で開かれてもよい。
【００３９】
「ボックス指定して保存」および「ボックス指定して送る」コマンドの諸部分の取り込みは、いくつかの仕方で実施されうる。コンテンツ項目についての選択領域を定義するいくつかの方法が使用されうる。たとえば、選択領域は、タッチ感応ディスプレイへのユーザー入力を介して定義されてもよい。この例では、左上および右下部分のタッチが、選択の領域として解釈されうる。いくつかの実施形態では、選択領域は、円、楕円または長方形のような別の形によって定義されてもよい。いくつかの可能な形の一つが指定されてもよく、選択領域は選択された形に依存する方法に従って指定されてもよい。たとえば、円が選択される場合、ユーザーはその領域を円の中心の点および円の周上の１点を指定することによって定義しうる。いくつかの実施形態では、領域の形は、最初にその形を定義する点を選択および移動することによって定義した後、修正できる。
【００４０】
ウェブページの選択された領域は、コンテナおよび／またはボックスのようなカテゴリーを表すアイコン中にドラッグされ、ドロップされてもよい。こうして、その領域の内容が、マウス・ボタンのクリックたった二回でコンテンツ項目として取り込まれうる。たとえば、図８では、選択された領域７２０が透明な複製領域８１０としてドラッグされ、ボックス・バー７３０のボックス８２０上にドロップされる。取り込まれた画像および関連付けられたメタデータがコンテンツ項目を形成する。このコンテンツ項目が次いでそのボックスに関連付けられる。
【００４１】
いくつかの実施形態では、ウェブページの選択された領域は、グラフィック交換フォーマット（GIF）、タグ付き画像ファイル・フォーマット（TIFF）、ポータブル・ネットワーク・グラフィクス（PNG）または統合写真専門家グループ（JPEG）といった画像フォーマットにおいて取り込まれる。いくつかの実施形態では、メタデータが取り込まれ、ウェブページの取り込まれた領域に関連付けられる。メタデータはたとえば、サーバー上のユーザーのアカウントに関連付けられたユーザー名、ウェブページの普遍リソース位置指定子（URL）、ウェブページの選択された領域が取り込まれた日時、ウェブページから抽出されたキーワードならびに高さ、幅およびウェブページの左上隅からのオフセットといったパラメータによって定義されるウェブページ上の取り込まれた領域の位置を含みうる。いくつかの実施形態では、メタデータは公共タグ付けサービスからそのURLについて取得された情報を含む。メタデータは、ウェブページの取り込まれた領域に関連付けられるべき一つのソースURLを提供してもよい。ただし、実施形態によっては二つ以上のURLが取り込み領域に関連付けられてもよい。
【００４２】
コンテンツ項目の取り込みの時点において、プラットフォームとアプリケーションの必要性とに依存して、データ／画像の操作および／または変換および／または表示がアプリケーションによって実行されることができる。この例は、ウィンドウズ（登録商標）上のビットマップからJPEGへの画像変換である。マックでは、もとの画像がPNGとして取り込まれ、JPEGに変換されることができる。当業者は、公共に利用可能なさまざまなデータ／画像の操作および／または変換技法を認識するであろう。
【００４３】
図７および図８はさらに、コンテンツ項目が整理オーバーレイのコンテキストにおいてどのように記憶されうるかを示している。ひとたび図６〜図８に示されるようにして領域が定義されると、整理オーバーレイ（organizational  overlay）は領域選択オーバーレイ（region  selection  overlay）の上にレンダリングされてもよい。例示的な整理オーバーレイは図７および図８に示されるようなボックス・バー７３０である。いくつかの実施形態では、アプリケーション（図１のアプリケーション１２２のような）が前記整理およびコンテンツをサーバー（図１のサーバーＡ１４０およびＢ１４２のような）から取得する。それらのサーバーはネットワーク・サービスのユーザー・アカウントに関連付けられたカテゴリーに関する情報を記憶していてもよい。いくつかの実施形態では、アプリケーションは、そのアプリケーションに結合されたサーバーによってサービスされてもよい。アプリケーションは整理オーバーレイの一部分をレンダリングし、および／または前記サーバーとの通信を容易にするために、Java（登録商標）Scriptおよび／またはHTMLならびに他のコードを利用してもよい。
【００４４】
いくつかの実施形態では、整理オーバーレイは複数のアイコンを含む。各アイコンはカテゴリー（コンテナまたはボックスのような）を表す。図７は、それぞれがボックスを表すアイコンを含む、ボックス・バー７３０を示している。いくつかの実施形態では、ボックス（box）は一つまたは複数のコンテンツ項目（item  of  content）を含むコンテンツの項目の組を含むことができるファイルである。コンテナ（container）とは、ボックス、ファイルおよび他のコンテナを含むことのできるフォルダである。コンテナの階層がボックスを整理するために使われてもよい。コンテナおよびボックスは、階層のナビゲーションを容易にするために名前を付けられてもよい。この整理はサーバー上で維持され、ユーザー・アカウントに関連付けられる。ボックスおよび／またはコンテナはユーザーによって削除または追加されることができる。この目的のためにたとえばアプリケーションにおいてごみ箱が設けられてもよい。ユーザーがユーザー・アカウントに導入されるとき、ユーザーはデフォルトの「新しいボックス」を呈示されてもよい。これは、ボックス・バーにおけるボックスの位置および目的を識別するための補助のはたらきをする。
【００４５】
選択領域が受領されると、アプリケーションが画像情報および非画像データを取り込んでもよい。アプリケーションは選択された整理オーバーレイにおいていかなるコンテナおよびボックスを表示してもよい。いくつかの実施形態では、整理表示に階層を一レベル上がってナビゲートさせるアイコンが表示される。整理オーバーレイにおける一つまたは複数の選択を使って、取り込まれたコンテンツ項目を記憶すべきボックスが指定されるまで、階層がナビゲートされてもよい。
【００４６】
整理オーバーレイは、ボックス・バー７３０（図７）のようなボックス・バーの形であってもよい。いくつかの実施形態では、ボックス・バーは「浮動（floating）」として現れ、アプリケーションが図７および図８に示されるように使われているときに画面の下部またはその近くに現れることができる。アプリケーションが使われていないとき、あるいはユーザーがデータの取り込みが既に発生したウェブページから去ってナビゲートしたときには、ボックス・バーは消えてもよい。コンテナはボックス・バーにおいて、ボックス・バー中のタブとして整理されてもよい。これに対し、ボックスはコンテナのタブ内の四角として示されてもよい。
【００４７】
コンテンツ項目は、整理オーバーレイ内で移送され、複製され、および／または他の仕方で操作されてもよい。たとえば、ユーザーは、既存のコンテンツ項目または既存のコンテンツ項目の一部分を「ボックスし直す（re-box）」ことができる。「ボックスし直された」データは次いで新しいコンテンツ項目として記憶されてもよい。同様に、コンテンツ項目は一つのカテゴリーから「切り取り」または「コピー」されて別のカテゴリーに「貼り付け」されてもよい。画像を修正するためのユーザー入力が受け付けられてもよい。
【００４８】
ボックスは、ウェブページ内の調整された画像、ウェブページの淡色化された（dimmed）または灰色にされた（grayed）領域の下部に位置されてもよい。たとえば図７において灰色にされたウェブページ６２０の下部のボックス・バー７３０で示されるようなものである。あるいはまた、ボックス・バーは画面全体の下部に、あるいはブラウザ・アプリケーションによって提供されるグラフィック・インターフェースまたはコンテンツ・ページについての他の何らかの位置に見出されてもよい。
【００４９】
ボックス・バーは種々の仕方で提供され、あるいは「描かれ」てもよい。いくつかの実施形態では、ボックス・バーは、そのネットワーク・サービスでのユーザー・アカウントに関連付けられたすべてではないいくつかのボックスを含んでいてもよい。いくつかの実施形態では、ボックス・バーはそのユーザー・アカウントに関連付けられたすべてのボックスを含んでいてもよい。いくつかの実施形態では、ボックス・バーは、そのユーザー・アカウントに関連付けられたボックス以外のボックスを含んでいてもよい。
【００５０】
ボックス・バーは、ユーザーのアカウントに関連付けられたボックスについての情報を要求するために現在アプリケーションがサーバーと通信することを必要としないよう生成されてもよい。たとえば、アプリケーションは、ボックス・バーのコンテンツを決定する情報を有していてもよいし、該情報を規則的な間隔で要求してもよい。前記情報は、これに限られないが、ボックス自身の識別情報を含む。アプリケーションは、ユーザーがツールバー上の適切なボタンをクリックすることによって開始した「ボックス指定して保存」または「ボックス指定して送る」動作を実行する前または実行する時点において、クライアント側情報を維持してもよい。
【００５１】
換言すれば、コンテンツ項目は、ユーザーのクリックおよびドラッグ（選択領域からの）から生成されてもよく、そのすべてがアプリケーションによって処理されてもよい。画像またはデータのボックス中へのドラッグは、アプリケーションに、画像および／またはデータと選択されたボックスとの間で関連付けがなされるべきであることを示す。関連付けは、URL、キーワード、タグおよび／または説明情報を含むメタデータおよび／またはテキスト・データを含んでいてもよく、それはユーザーがこの情報をアプリケーションに与えたかアプリケーションによって自動的になされたかにはよらない。
【００５２】
ひとたび選択されたデータとの情報の関連付けが行われると、その関連付けは、図１のコンテキストで論じたように、一つまたは複数のサーバーに結合されたデータベースにおける記憶のために、該一つまたは複数のサーバーに送られてもよい。いくつかの実施形態では、バイナリー画像データまたは選択された取り込まれたデータが一つのサーバーに送達され、一方で前記バイナリー画像または選択された取り込まれたデータについての関連付けおよび／またはメタデータ情報が第二のサーバーに送られてもよい。いくつかの実施形態では、前記バイナリー・データを保存するために鍵を要求するサーバーへのデータの送達を許すために、一つのサーバーから別のサーバーに鍵が要求されてもよい。鍵なしでは、要求されたサーバーは、前記画像またはバイナリー・データを保存する要求を、セキュリティ上の用心として、拒否しうる。こうして、ユーザーは、画像を保存するためにパーミッション〔許可〕を得ることが要求されてもよい。当業者は、そのような関連付けおよび／またはメタデータ情報からのデータの区別が二つ以上のサーバーの間で起こる必要はないことを理解できる。バイナリー画像データまたは選択された取り込まれたデータは、関連付けおよび／またはメタデータ情報と一緒に同じサーバー上に記憶されることができる。
【００５３】
コンテンツ項目がボックス中にドロップされた後、アプリケーションは整理オーバーレイおよび領域選択を除去してもよく、それにより図６に示されるような淡色化されたまたは灰色にされたウェブページから図５に示されるようなウェブページの通常の見え方を復元することができる。領域選択オーバーレイが図６に示されるようにレンダリングされているとき、通常のブラウザ活動は抑制されてもよい。たとえば、コンテンツが取り込まれたウェブページから去るナビゲーションは抑制されてもよい。コンテンツ項目のカテゴリーへの関連付けに際して、ブラウザの通常活動が回復されてもよい。次いで、そのウェブページまたは他のウェブページから、上記のプロセスを一度または複数回繰り返すことによって、他の領域が取り込まれてもよい。
【００５４】
コンテンツ項目の関連付けがされると、ユーザーによるウェブのナビゲーションが続けられてもよい。上記の諸プロセスは、訪問されたその後のいかなるウェブページについても、上で論じた諸プロセスを介して繰り返されてもよい。たとえば、ネットワーク・サービスのユーザーがいくつかのコンテンツ項目を「車」に関連付けられたボックスに、他のコンテンツ項目を「休暇」に関連付けられたボックスに、さらに他のコンテンツ項目を「仕事」に関連付けられたボックスに保存してもよく、これはユーザーがウェブからコンテンツを取り込む順序によらない。このようにして、コンテンツを取り込むプロセスは、ユーザーのウェブ・サーフィン経験に著しく負担をかけることなくなされうる。
【００５５】
本技術はたとえばネットワーク・サービスおよび／またはアプリケーション（図１のアプリケーション１２２および１２６のような）によって実装されるとき、逆トラフィック（reverse  traffic）をも許容する。ユーザーがコンテンツ項目（たとえば、図７の選択された領域７２０に関連付けられたコンテンツ項目）を取り込むとき、ネットワーク・サービスは、後刻、選択された領域７２０の起源のサイトに戻ることを許容する。選択された領域７２０から保存されたコンテンツ項目の起源のソースは、画像が取り込まれたウェブページ５００のURLを含みうる。いくつかの実施形態では、コンテンツ項目が取り込まれた後にウェブページ５００のコンテンツが変更されたまたは更新された場合、URLがユーザーを、取り込まれたコンテンツとは異なる現在掲示されているコンテンツを反映するウェブページに差し向けてもよい。起源のソースにアクセスするために、ユーザーはネットワーク・サービスにおけるそのコンテンツ項目を選択してもよく、取り込みの時点におけるウェブページ５００に関連付けられたURLリンクを呈示されてもよい。URLリンクは、好ましくは取り込みの時点において、一つまたは複数のサーバーに結合されるデータベースにおいて記憶されてもよい。
【００５６】
ユーザーは、ボックス・バー７３０を介して、あるいはネットワーク・サービスに関連付けられたウェブページにアクセスすることによって、項目、ボックスまたはコンテナにアクセスしてもよい。例示的な関連付けられたウェブページが図１２のコンテキストにおいて例解され、さらに説明される。ボックス内で、一つまたは複数の取り込まれたコンテンツ項目が表示されうる。このボックスはアプリケーションを通じてアクセスされてもよい。いくつかの実施形態では、表示はただ取り込まれた画像を含んでもよい。他の実施形態では、各画像に関連付けられたメタデータの一部または全部がその画像と一緒に表示されてもよい。コンテンツ項目は、ユーザー選好に基づいてボックス中に配列されてもよい。よって、ボックス内でのコンテンツ項目の整理の様式に関する以下の議論は、「公共（Public）」ボックスおよび「共有（Shared）」ボックスのようないかなる型のボックスにも適用されうる。以下の整理のいかなる組み合わせも利用されうる。整理の様式は、（アプリケーション１２２および／または１３２のような）アプリケーションによってメニュー（たとえばドロップダウン・メニュー）を介して提供されうる。
【００５７】
いくつかの実施形態では、コンテンツ項目は、コンテンツが行と列で表示される整理のグリッド様式で表示されうる。ボックス内でのグリッド・ビュー整理が図１２に示されている。選択されたコンテンツ項目を、グリッド内の特定の位置に挿入されるような位置にドラッグすることによって、コンテンツ項目が配列し直されてもよい。グリッド・ビューにおけるコンテンツ項目のそれぞれについて記憶される位置は、列番号および行番号によって表されてもよい。
【００５８】
取り込まれたコンテンツ項目（図１７における１２２０のような）は、コンテンツ項目がそのボックス（図１７の１２１０）についての仮想空間内のいかなる位置にもドラッグおよびドロップされてもよいように、自由形式の整理様式（図１７）において表示されてもよい。いくつかの実施形態では、コンテンツ項目の呈示は、いくつかのコンテンツ項目が一つまたは複数の他のコンテンツ項目によって完全または部分的に覆われるよう互いと重なり合ってもよい。重なり合うコンテンツ項目を表示するために、より最近動かされたコンテンツ項目がより以前に動かされたコンテンツ項目より上に表示されるようにする優先度（「z位置（z-position）」）があってもよい。ユーザーが表示優先度を指定してもよい。そのボックスの内容が次に表示されるときに各コンテンツ項目が仮想空間内に残されたのと同じ位置にあるよう、仮想空間内でのコンテンツ項目のそれぞれの位置がそのコンテンツ項目に関連付けて記憶されていてもよい。位置は水平位置および垂直位置ならびにz位置の指示を含んでもよい。さらに、ユーザーは、すべてのコンテンツ項目の相対サイズを拡大または縮小するためにスライダー１７１０を使ってもよい。
【００５９】
いくつかの実施形態では、前記仮想空間は表示領域内にある。他の実施形態では、前記表示領域は、前記仮想空間の一部分に対する窓であり、この窓は前記仮想空間の他の部分を見るよう動かすことができる。
【００６０】
いくつかの実施形態では、コンテンツ項目（１２２０のような）は、整理の一覧様式または一覧ビュー（図１８）において表示されてもよく、その場合、コンテンツ項目がアプリケーションによって一覧リストに配列される。図１８に示されるように、リストは縦のものでもよい。選択されたコンテンツ項目を、それが一覧中の特定の位置に挿入されるような位置にドラッグすることによって、コンテンツ項目が配列し直されてもよい。一覧ビューにおけるコンテンツ項目のそれぞれについて記憶される位置は、一覧中でのインデックスであってもよい。
【００６１】
取り込まれたコンテンツは、アプリケーションおよび／またはネットワーク・サービスのユーザーの間でいくつかの仕方で共有されうる。よって、ウェブサイトからのソース・コンテンツは、ソース・ウェブサイトのユーザー定義されたフラグメントにおいて共有されてもよい。この共有方法は、フラグメンテーション（fragmentation）と称されうる。フラグメンテーションは、ウェブサイト・コンテンツがあるユーザーのもとに、そしてそのコンテンツ項目を要求しうる誰にでも、ソース・コンテンツについて知るためにそのウェブサイトへの訪問を必要とすることなく、もたらされることを許容する。よって、コンテンツ項目はバイラル的に（virally）配布されうる。たとえば、ネットワーク・サービスのあるユーザー（図１におけるアプリケーション１２２、１２６または１３２のユーザーのような）は、電子メール、ボックスおよび／またはコンテナをソーシャル・ネットワーク（social  network）における影響者（influencer）と共有することによってコンテンツのバイラル的な配布を促進してもよい。
【００６２】
ユーザーは、アプリケーションによって取り込まれたコンテンツ項目を直接共有するために「ボックス指定して送る」コマンドを実行してもよい。いくつかの実施形態では、ユーザーはコンテンツ項目を他のユーザーに直接共有してもよい。ユーザーはまた、URLリンクまたはRSSリンクを生成して、そのリンクをステップ４０６（図４）において電子メールに組み込むことによって、コンテンツを非ユーザーと共有してもよい。いくつかの実施形態では、電子メールは、電子メールの本文の一部として、リンクとしてはたらきうる取り込まれたコンテンツ項目を含む。ユーザーは、コンテンツを共有すべき、他のネットワーク・サービス・ユーザーまたは非ユーザーの電子メール・アドレスを選択しうる。あるいはまた、電子メール・アドレスは、アドレス帳または受信者リスト９３０のような電子メール・アドレスの同様のリストから取得される。そのような電子メールは今度は複数の受信者に転送されうる。
【００６３】
コンテンツは、「ボックス指定して保存」コマンドの実行を介して共有されてもよい。保存は、図１のコンテキストで論じたような、コンテンツ項目をコンピュータ可読媒体上に記憶することを含む。たとえば、コンテンツ項目はサーバー上、データベース中、ハードドライブ上、メモリ内および／またはその他に記憶されてもよい。いくつかの実施形態では、コンテンツ項目は所定のボックスと関連付けて記憶される。本項の他所で論じられているように、ボックス（box）はコンテンツ項目の集合であってもよい。ボックスの例としては、フォルダ、ファイル、記憶媒体、アカウント、データベースおよび／またはその他が含まれる。いくつかの実施形態では、本技術のネットワーク・サービスでのユーザー・アカウントは複数のボックスを含んでいてもよい。たとえば、ネットワーク・サービスのユーザーは複数のボックスをユーザー・アカウント内に確立して、記憶されたコンテンツ項目をさまざまなボックス内に一つまたは複数のユーザー選好に従ってグループ分けしてもよい。いくつかの実施形態では、ボックスは、ネットワーク・サービスの他のユーザーおよび／または非ユーザーと共有される。こうして、共有されたボックスにおけるコンテンツ項目が、「ボックス指定して保存」コマンドにおけるマウス・ボタンのたった二回のクリックを使って、他のユーザーおよび／または非ユーザーと共有されうる。
【００６４】
いくつかの実施形態では、ボックス・バー上に現れるボックスは「共有（Shared）」タグを含んでいて、タグ付けされたボックス中のコンテンツが共有されることを示してもよい。そのようなボックスは「共有」ボックスと称されてもよい。例示的な「共有」ボックスが図８の８２０に示されている。ユーザーがツールバー５１０上で「ボックス指定して保存」ボタンをクリックするとき、ボックス・バー上に現れるボックスは「共有」タグを含みうる。よって、「ボックス指定して保存」動作は、取り込み、保存し、共有する動作が組み合わされたものと等価でありうる。この動作は、図１のサーバーＡ１４０および／またはサーバーＢ１４２のような一つまたは複数のサーバーによって処理されてもよい。
【００６５】
コンテンツ項目を取り込んだユーザー（すなわち、コンテンツ項目の所有者）はコンテナおよびボックスを共有してもよい。所有者は、ボックス全体または単一の項目を、たとえばこれを見るよう招待することを介して、共有してもよい。所有者は、ボックス内のコンテンツ項目を選択して「ボックス指定して保存」または「ボックス指定して送る」を選択することによって、アプリケーション１２２または１２６から直接、コンテンツ項目を共有してもよい。いくつかの実施形態では、ネットワーク・サービスのユーザーは、「共有」ボックスまたは「公共」ボックスを通じて、取り込まれたデータに関係するコンテンツ項目にアクセスできる。「共有」ボックスは、ネットワーク・サービスのユーザーおよび非ユーザーのうち一つまたは複数の所有者の選好に依存してリスト上で指定された者による閲覧のために利用可能であってもよい。これに対し、「公共」ボックスは、一般的なリストに対して、あるいはさらには一般公衆に対して利用可能であってもよい。「共有」されたボックスおよび／またはコンテンツ項目に関係する情報は、あらゆる招待されたネットワーク・サービス・ユーザーおよび非ユーザーによるディスプレイ・ボックスを介した閲覧のために利用可能であってもよい。対応する情報をもつ同様のディスプレイ・ボックスが「公共」ボックスについても利用可能であってもよい。この情報は、コンテンツ項目が取り込まれた時、コンテンツ項目の所有者および／またはコンテンツ項目に関係したボックス内の活動に関係した詳細を含んでいてもよい。「公共」ボックスは、URLまたはRSSリンクを介して一般公衆にアクセス可能であってもよい。
【００６６】
「共有」ボックスおよび「公共」ボックスは、「ボックス指定して保存」および／または「ボックス指定して送る」動作を実行することが許容されうる一または複数の所有者を有していてもよい。これは、サーバー上のコンテナおよびボックスに関連付けられたパーミッションを指定することによって達成されてもよい。するとサーバーはこれらのパーミッションに基づいてアクセスを認めうる。ボックス所有者は、そのボックスを共有する人物の電子メール・アドレスを手動で入力してもよい。いくつかの実施形態では、ネットワーク・サービス・ユーザーの入力された電子メール・アドレスはアプリケーションによって認識されてもよい。あるいはまた、ボックス所有者は、そのボックスのパーミッションを指定しうる代理人（delegate）を指定してもよい。
【００６７】
いくつかの実施形態では、所有者はネットワーク・サービスの非ユーザーがコンテンツにアクセスしてもよいことを指定してもよい。所有者は、代理人を指定することによって、および／または「家族」または「友人」といったユーザーのグループの分類を指定することによって、そのコンテンツにアクセスできるユーザーおよびアクセス特権（access  privilege）を指定することもできる。さらに、いくつかの場合には、所有者は、やはり該所有者によって取り込まれたコンテンツ項目に関するパーミッション制御能力をもつ一または複数の管理者（administrator）を指定できる。
【００６８】
コンテンツのアクセス可能性は、特定のユーザーおよび／またはユーザーのグループについて制御されてもよい。さらに、コンテンツにアクセスするパーミッションは個別のボックス、個別のコンテナまたはコンテナおよび／もしくはボックスのグループについて制御されてもよい。
【００６９】
たとえば、所有者は、コンテンツ項目を読み、追加するパーミッションを、「家族」のためのグループ内のユーザーに認め、読み出し専用のパーミッションを「友人」のためのグループのユーザーに認め、コンテンツ項目を削除するパーミッションを「家族」グループや「友人」グループ内であってもなくてもよい代理人に認めてもよい。
【００７０】
いくつかの場合には、ボックスのビュー（自由形式、一覧および／またはグリッド）および各コンテンツ項目のそのボックス内での位置は所有者によって決定される。所有者は、諸コンテンツ項目が同じ大きさまたは異なる大きさであるよう、所有者の選好に従って決定してもよい。所有者選好は、ウェブサイトにおける識別子の定義を含むことができる。たとえば、所有者は、ビデオまたは文書の一部分、タイトルおよび／またはフレームならびに所有者が取り込むことを望む他の任意の情報のかたまりを取り込むことができる。いくつかの実施形態では、この発明は、所有者が、ファイル、フォルダおよびウェブページといった従来式の定義に限定されることなく、データ取り込みの構築ブロックを決定することを許容する。たとえば、本発明の実施形態は、取り込まれたデータについての、所有者の選好に合わせて調節された視覚的な整理を提供する。ユーザーも、ユーザー選好に従ってコンテンツ項目を山（pile）またはグループに仕分けし、それにより視覚的な経験を向上させてもよい。あるいはまた、ユーザーは一つまたは複数のコンテンツ項目をまとめて連結させてもよい。他の実施形態では、整理は、ボックス内のビューまたはボックス内のコンテンツ項目の位置を修正した最後のユーザーによって決定されてもよい。さらに他の実施形態では、ビュー整理および位置は、特定のボックスへのアクセスをもつ各ユーザーについて独立して維持されてもよい。いくつかの実施形態では、非ユーザーも特定のボックスにアクセスし、コンテンツ項目の整理および位置を決定するパーミッションが与えられてもよい。
【００７１】
いくつかの実施形態では、二人以上のユーザーが同時に共有されたボックスを見てもよい。共有されたボックスについてのパーミッションは、一人または複数の他のユーザーがそのボックスを見ることができるよう確立されてもよい。いくつかの場合には、共有されたボックスについてのパーミッションは、二人以上のユーザーがコンテンツ項目をそのボックスに追加できるよう確立されてもよい。こうして、共有されたボックスにおいてコンテンツ項目がパーミッションのあるユーザーの一人によって修正されるとき、その共有されたボックスを見ることのできるユーザーはその変化を見ることができる。そのような実施形態において、現在そのボックスにアクセスしているユーザーのリストが、所有者および／またはユーザーに利用可能にされてもよい。
【００７２】
いくつかの実施形態においては、見ているユーザーのそれぞれの表示がコンテンツ項目の追加または修正に応答して更新されるよう、ボックスおよび／またはコンテナ内の変化を検出し、共有しているユーザーにコンテンツ項目をプッシュしてもよい。たとえば、現在共有している任意のユーザーがボックス内のコンテンツ項目をそのボックス内の新しい位置に動かしてもよい。他の共有しているユーザーのそれぞれについてのボックスの表示において、その動きが示され、そのコンテンツ項目は新しい位置に現れる。あるいはまた、新しいコンテンツ項目が共有されているボックス内において第二のユーザーに対して、ブラウザ・ウィンドウのリフレッシュ〔表示更新〕時に現れてもよい。リフレッシュは、ブラウザによって自動的に開始されてもよいし、あるいはブラウザ・ウィンドウ内でリフレッシュ・ボタンをクリックすることによって開始されてもよい。
【００７３】
いくつかの実施形態では、パーミッションおよび／または設定が「設定」アイコンによって表されてもよい。設定アイコン（図示せず）はコンテンツ項目の上にドラッグされて、追加的な設定特徴を添付してもよい。こうして、動作が一緒に連鎖されることができる。たとえば、項目を「公衆により編集可能」にするよう構成された設定を表す設定アイコンがコンテンツ項目の上にドラッグおよびドロップされる。次いでその項目はボックス中にドラッグおよびドロップされてもよい。いくつかの実施形態では、設定アイコンはその項目に添付され、両者は一緒になって前記ボックスまでドラッグされる。あるいはまた、設定アイコンは項目に添付されることなく前記ボックス中にドラッグおよびドロップされ、そのボックス中のあらゆる取り込まれたコンテンツのパーミッションを「公衆により編集可能」に設定する。いくつかの実施形態では、設定アイコンはユーザーによってあらかじめ定義されている。
【００７４】
いくつかの実施形態では、共有規則および／またはパーミッションが、図１に示されたサーバーＡ１４０およびＢ１４２のような一つまたは複数のサーバー上に記憶されている。アプリケーションは、他のいかなるユーザーの共有状態に関しても、直接的な知識やデータをもたなくてもよい。たとえば、図１のアプリケーション１２２はアプリケーション１２６の共有状態にはアクセスをもたなくてもよい。アプリケーションは、どのボックス（単数または複数）が二人またはそれ以上のユーザーによって共有されているかが明らかになるように、「共有」タグがユーザーに関連付けられ、および／または可視となりうることを保証しうる。さらに、いくつかの実施形態では、データベース（データベースＡ１５０およびＢ１５２のような）が特定のボックスへのアクセスをもつ各ユーザーについてのエントリーを有していてもよい。一人のユーザーがあるボックスの別のユーザーのアクセスを消去する場合、この行動は、共有されたアクセスを許容する、前記データベース中のエントリーの除去につながる。そのようなパーミッションを指定するユーザー・インターフェースはサーバー上のダイアログ・ボックスによって達成されてもよい。例示的なダイアログ・ボックスは図１２のコンテキストでさらに図示され、議論される。
【００７５】
コンテンツ項目、たとえばコンテンツ項目中の画像に注釈またはコメントが関連付けられてもよい。ある実施形態では、ユーザーが画像中の一点をクリックすることによってその画像を選択する。アイコンおよび／または注釈・ボックスが、ユーザーが注釈ボックス中に注釈を入力してもよい点の近くに、表示されてもよい。注釈およびアイコンはその後、その画像と一緒に表示されてもよい。注釈は画像上のどこに位置されてもよい。さまざまな実施形態において、注釈はテキスト、画像、ハイライト、リンクおよび／またはその他を含んでいてもよい。項目中に含まれるテキストは同様に注釈付けされてもよい。たとえば、テキストは強調のためにハイライトされてもよい。どのユーザーが注釈を見ることができ、どのユーザーが項目に注釈を追加することができるかを制御するために、パーミッションが使われてもよい。
【００７６】
コンテンツ項目の共有に応答してアラートが送られてもよい。図１１は、図５のツールバー５１０において提供されるアラート１１１０の詳細を示している。アラート１１１０を受信すると、ユーザーはそのアラートをクリックして、アラート１１１０を引き起こしたボックスおよび／またはコンテンツ項目にリダイレクトされてもよい。例示的なアラートは、他のユーザーによるボックスの共有、あるいはボックスおよび／またはコンテンツ項目へのコメントの追加の通知を含みうる。いくつかの実施形態では、アラートは一つまたは複数のサーバー上に記憶され、ツールバー５１０内でリアルタイムにまたはほぼリアルタイムに提供される。画像またはコンテンツ項目を共有されているボックス中にドラッグおよびドロップするユーザーまたは所有者の行動は、その共有されているボックスへのアクセスをもつ他のユーザーへのアラートの送信を引き起こしうる。
【００７７】
所有者または非所有者がコンテンツ項目を生成および共有するとき、ネットワーク・サービスの諸ユーザーにアラートが送られてもよい。本項で論じられるパーミッションに従って一人または複数のユーザーからコメントの追加があると、所有者または非所有者にアラートが送られてもよい。いくつかの実施形態では、アラートが、そのネットワーク・サービスのユーザーである、電子メール・リストにある各受信者に送られてもよい。所有者がネットワーク・サービスのユーザーおよび非ユーザーとコンテンツを共有する場合、ユーザーはアラートを受領してもよい。ネットワーク・サービスの非ユーザーは、図１０に示されるような電子メール・メッセージ１０００のような電子メールを受信してもよい。その非ユーザーはそのコンテンツに、図１０に示されるような例示的なリンク１０２０のようなリンクを通じてアクセスしてもよい。
【００７８】
図１２は、本発明の諸実施形態に基づく、ボックス１２１０およびコンテンツ項目１２２０にアクセスするためのホスト・アプリケーション１２００を示している。ボックス１２１０はコンテンツ項目（たとえばコンテンツ項目１２２０）のアレイを含む。コンテナのリストがボックス１２１０の下部を横断して示されている。コンテナ１２３０はリスト中のコンテナの一例である。コンテナ１２３０は一つまたは複数のボックス（図１２に示されるようなコンテナ１２３０の名前によって示されるように、「技術」に関係するボックスのような）を含んでいてもよい。いくつかの実施形態では、ブラウザによって実行されるコードが、ユーザーが（１）コンテンツ項目１２２０の整理を管理すること、（２）個々のコンテナ１２３０および／またはボックス１２１０あるいはコンテナ１２３０および／またはボックス１２１０のグループについてのパーミッションを管理すること、および（３）コンテンツ項目のパーミッションおよび配布を管理するために使われうるユーザーのグループを定義および管理することを許容するホスト・アプリケーション１２００を含むウェブページを提供する。
【００７９】
取り込まれた画像、関連付けられたメタデータおよび関連付けられたボックスの指標がサーバーにアップロードされ、与えられた共有パーミッションに従って他のユーザーに利用可能にされる。ネットワーク・サービスの非ユーザーが、共有されるコンテンツ項目または共有されるボックスに関して、ネットワーク・サービスのユーザーと同じパーミッションを有してもよい。たとえば、図１２のホスト・アプリケーション１２００の所有者がボックス１２１０を非ユーザーにアクセス可能にしてもよい。いくつかの実施形態では、非ユーザーはコンテンツ項目１２２０に注釈を追加できるが、コンテンツ項目１２２０を削除したりホスト・アプリケーション１２００のボックス１２１０に新しいコンテンツ項目を追加したりすることはできない。これらの特権は、一つまたは複数の規則に従ってユーザー選好によってカスタマイズされてもよい。
【００８０】
いくつかの実施形態では、ユーザーはモバイル・デバイス（たとえば、携帯電話、PDA、iPhoneおよび／またはその他）からホスト・アプリケーション１２００にアクセスしてもよい。ホスト・アプリケーション１２００の機能性の一部または全部が、モバイル・デバイスを介してアクセスされたときに保持されてもよい。さまざまな実施形態において、機能性は取り込み、ボックス指定して送る、ボックス指定して保存、コンテンツ項目の表示、コンテンツ項目の共有、コンテンツ項目への注釈の添付、パーミッションの設定、ボックスの整理、ボックスの共有、別のボックス中のボックスへのアクセス、携帯電話内蔵のカメラを使った写真撮影および上に記載された他の機能が含まれる。携帯電話またはPDAによって撮影された写真は、コンテンツ項目１２２０として扱われ、ボックス１２１０に記憶されてもよい。
【００８１】
図１３は、本発明の諸実施形態に基づいて共有を有効にするための、灰色でつぶされた（grayed  out）ボックス１３１０およびダイアログ・ボックス１３２０を含むホスト・アプリケーション・ウェブページ１３００を示している。ダイアログ・ボックス１３２０は、ホスト・アプリケーションによって、たとえばホスト・アプリケーション・ウェブページ１３００のようなウェブページ内に表示されうる。ダイアログ・ボックスは、あるユーザーのあるボックスへのアクセスを有効にし、無効にすることを当該ユーザーに許容する「このボックスを共有」ダイアログを示すことができる。ダイアログ・ボックス１３２０のURL作成フィールド１３２２が、灰色でつぶされたボックス１３１０を「公共ボックス」として指定するために設けられてもよい。URL作成フィールド１３２２の選択は、灰色でつぶされたボックス１３１０をウェブ上で共有するためのURLおよび／またはRSSリンクを提供してもよい。ボックス共有フィールド１３２４は、共有するユーザーのリストに新しいユーザーを追加するために設けられてもよい。共有ボックス１３１０上で、目に見える「共有」タグがボックス１３１０に追加され、それによってそのボックスが「共有」ボックスであることを示してもよい。ボックス１３１０が共有されているユーザーのリストがリスト１３２６において与えられてもよい。そのURLおよび／またはRSSリンクについての電子メール受信者リスト１３２８が、これを表示するために設けられてもよい。
【００８２】
図１４は、ウェブページからのデータを取り込むための方法１４００を示すフローチャートである。ステップ１４０２で、ウェブページのデータを取り込む要求が受信される。取り込み要求はたとえば、コンピューティング・デバイスへのユーザー入力からの「ボックス指定して保存」要求または「ボックス指定して送る」要求であってもよい。ステップ１４０４で、ウェブページの選択された領域からのデータが受領される。このデータは、コンテンツ項目を表すために画像を構築するのに使われる画像情報および／または非画像データに対応してもよい。非画像データはたとえば、メタデータおよび／またはウェブページもしくはウェブページの選択された領域に対応するデータを含んでいてもよい。ステップ１４０６では、コンテンツ項目が生成される。コンテンツ項目の生成は、選択されたデータの画像データを第一のサーバーに送り、その画像データを第一のサーバーに結合された第一のデータベースに記憶することを含みうる。コンテンツ項目の生成はまた、選択されたデータの非画像データを第二のサーバーに送り、その非画像データを第二のサーバーに結合された第二のデータベースに記憶することをも含みうる。いくつかの実施形態では、画像データおよび非画像データは同じサーバーに送られてもよい。いくつかの実施形態では、画像データおよび非画像データは同じデータベースに記憶されてもよい。コンテンツ項目は、ステップ１４０４で受信された画像情報に対応する画像および／またはステップ１４０４からのメタデータを、関連付けられて有していてもよい。図１４にはステップ１４０２〜１４０４が示されているが、より少ないまたはより多いステップがさまざまな実施形態の範囲内にはいりうる。
【００８３】
図１５は、データを取り込み、送るための方法１５００を示すフローチャートである。ステップ１５０２で、送信要求が受領される。送信要求は、コンピューティング・デバイスへのユーザー入力から受領されてもよい。ステップ１５０４で、ユーザー・デバイスのディスプレイ上に表示されるウェブページ内の取り込み領域が同定される。ステップ１５０６では、取り込み領域がディスプレイ上での表示のために与えられる。ステップ１５０８では、取り込み領域に基づくデータが受領される。そのような受領されたデータは、取り込み領域に対応する画像データおよび非画像データを含みうる。ステップ１５１０では、受信者アドレスに関連付けられたデータが受領される。ステップ１５１２では、前記データが取り込まれたウェブページに関連付けられたリンクが、前記アドレスに送られる。ステップ１５１４では、前記受領されたデータが前記受信者アドレスに送られる。図１５にはステップ１５０２〜１５１４が示されているが、より少ないまたはより多いステップがさまざまな実施形態の範囲内にはいりうる。
【００８４】
図１６は、ブラウザによって表示されるウェブページの領域を保存するための方法１６００を示している。ステップ１６０２で、ウェブページのある領域を保存する要求が受領される。ステップ１６０４で、ブラウザ活動が抑制される。ウェブページは、淡色化されるか灰色でつぶされるかしてもよい。それは、そのウェブページの諸部分が取り込まれてもよいことを示す。ステップ１６０６では、そのウェブページの保存されるべき領域の定義が受領される。そのような定義は（たとえばコンピューティング・デバイスへのユーザー入力を介して）受領されうる。ステップ１６０８では、定義された領域の一つまたは複数の境界が与えられる。該一つまたは複数の境界を含む定義された領域は、ユーザーに対して、領域選択オーバーレイ上で、コンピューティング・デバイスのディスプレイを介して示されうる。ステップ１６１０では、定義された領域からの画像データの抽出が開始される。ステップ１６１２では、定義された領域からの非画像データの抽出が開始される。ステップ１６１４では、一組のカテゴリーが与えられる。カテゴリーは、コンピューティング・デバイスのディスプレイを介して表示されてもよい。ステップ１６１６では、あるカテゴリーの選択が受領される。選択は、コンピューティング・デバイスから受領されてもよく、ユーザーのために選択を示してもよい。実施形態によっては、領域選択オーバーレイは除去されてもよい（図示せず）。ステップ１６１８では、コンテンツ項目が生成される。コンテンツ項目には画像情報および非画像情報が関連付けられてもよい。ステップ１６２０では、ブラウザ活動の抑制が解除される。ブラウザの通常機能が回復されてもよく、ナビゲーションが続けられてもよい。図１６にはステップ１６０２〜１６２０が示されているが、より少ないまたはより多いステップがさまざまな実施形態の範囲内にはいりうる。
【００８５】
図１９は、データ・ソースから取り込まれた視覚的データを保存する方法１９００を示している。ステップ１９０２では、データ・ソースから取り込まれた視覚的データはネットワークを介して、該ネットワークに結合されたコンピューティング・デバイスから受領される。視覚的データは画像データおよび非画像データを含む。ステップ１９０４では、前記ネットワークに結合されたデータベース中での記憶のために、データ・ソースからの選択された視覚的データに基づいてコンテンツ項目が生成される。
【００８６】
図２０は、データ・ソースからの視覚的データを共有するための方法２０００を示している。ステップ２００２では、視覚的データがネットワークに結合されたコンピューティング・デバイスから受領される。ステップ２００４では、前記コンピューティング・デバイスから受領された視覚的データに基づいてコンテンツ項目が生成される。ステップ２００６では、前記コンピューティング・デバイスへの第二のユーザー入力からの受信者アドレスに関連付けられたデータが受領される。ステップ２００８では、前記データ・ソースに関連付けられたリンクが前記受信者アドレスに、前記ネットワークに結合された一つまたは複数のウェブ・サーバーを介して送られる。ステップ２０１０では、生成されたコンテンツ項目が、前記一つまたは複数のウェブ・サーバーを介して、受信者アドレスに送られる。
【００８７】
図２１は、データ・ソースからの画像データおよび非画像データを保存する方法２１００を示している。データ・ソースはブラウザによってコンピューティング・デバイスのディスプレイ上に表示される。ステップ２１０２では、画像データおよび非画像データは、前記データ・ソースからネットワークを介して受信される。前記コンピューティング・デバイスは前記ネットワークに結合されている。ステップ２１０４では、一組のカテゴリーが前記ネットワークに結合されているサーバーから受信され、前記コンピューティング・デバイスに提供される。ステップ２１０６では、前記サーバーによって提供された前記一組のカテゴリーからのあるカテゴリーの選択が前記コンピューティング・デバイスから受信される。ステップ２１０８では、コンテンツ項目が前記ネットワークに結合されているデータベース中での記憶のために生成される。前記コンテンツ項目は、前記データ・ソースからの画像データおよび非画像データに基づいて生成される。
【００８８】
本発明のさらなる実施形態が、2008年6月13日に出願された、「スクリーンショット・セグメントを取り込み、視覚的に整理するためのシステムおよび方法（System  and  Method  for  Capturing  and  Visually  Organizing  Screen  Shot  Segments）」という名称の米国仮特許出願第61/061,520号、2008年6月27日に出願された、「スクリーン・セグメントの取り込みおよび共有（Capturing  and  Sharing  Screen  Segments）」という名称の米国仮特許出願第61/076,586号、2008年9月10日に出願された、「埋め込まれたコンテンツのための方法および媒体（Methods  and  Media  for  Embedded  Content）」という名称の米国仮特許出願第61/095,925号および2008年10月5日に出願された、「データを取り込み、整理し、共有するためのシステムおよび方法（Systems  and  Methods  for  Capturing,  Organizing,  and  Sharing  Data）」という名称の米国特許出願第61/102,858号において示されている。付録A〜Eにおいて使用される「crate」の用語は本願の詳細な説明で使われるところの「ボックス」であることを注意しておく。付録A〜Eにおいて使用される用語「box」は本願の詳細な説明で使われるところの「項目（item）」である。付録A〜Eにおいて使用される用語「palette」は本願の詳細な説明で使われるところの用語「コンテナ」である。
【００８９】
上記の機能および／または方法は、記憶媒体上に記憶される命令を含んでいてもよい。命令はプロセッサによって取得され、実行されることができる。命令のいくつかの例はソフトウェア、プログラム・コードおよびファームウェアである。記憶媒体のいくつかの例はメモリ・デバイス、テープ、ディスク、集積回路およびサーバーである。命令は、プロセッサによって実行されたときに、前記プロセッサに、本発明に従って動作することを指令するよう機能する。当業者は、命令、プロセッサおよび記憶媒体にはなじみがある。
【００９０】
本稿を読めば、当業者には、本開示の範囲から外れることなく本稿で開示されたシステム、方法および媒体にさまざまな修正がなされうることは明白であろう。よって、本開示は限定する意味で解釈されるべきではなく、付属の請求項のサポートのための基礎として解釈されるべきである。
【図面の簡単な説明】
【００９１】
【図１】本発明の諸実施形態に基づく、例示的なネットワーキング環境を示す図である。
【図２】本発明の諸実施形態に基づく、データを取り込む例示的な方法のフローチャートである。
【図３】本発明の諸実施形態に基づく、「ボックス指定および保存」コマンドを実行するための例示的な方法のフローチャートである。
【図４】本発明の諸実施形態に基づく、「ボックス指定および送る」コマンドを実行するための例示的な方法のフローチャートである。
【図５】本発明の諸実施形態に基づく、ウェブページおよびツールバーを示す図である。
【図６】図３および図４に記載される方法に基づく、図５のウェブページおよびツールバーを灰色にしたものを示す図である。
【図７】図３および図４に記載される方法に基づく、図６のウェブページおよびツールバーを示す図である。
【図８】図３に記載される方法に基づく、図７のウェブページおよびツールバーを示す図である。
【図９】図４に記載される方法に基づく、図７のウェブページおよびツールバーを示す図である。
【図１０】図４に記載される方法に基づく、第三者電子メールを示す図である。
【図１１】図５のツールバーで提供されるアラートの詳細を示す図である。
【図１２】本発明の諸実施形態に基づく、ボックスおよびコンテンツ項目にアクセスするためのグリッド・レイアウトを提供するホスト・アプリケーションを示す図である。
【図１３】本発明の諸実施形態に基づく、グレーでつぶされたボックスおよび共有を有効にするためのダイアログ・ボックスを含むホスト・アプリケーション・ウェブページを示す図である。
【図１４】ウェブページからのデータを取り込むための方法を示すフローチャートである。
【図１５】データを取り込み、送る方法を示すフローチャートである。
【図１６】ブラウザによって表示されるウェブページの領域を保存するための方法を示すフローチャートである。
【図１７】コンテンツ項目の例示的な「自由形式」レイアウトを示す図である。
【図１８】コンテンツ項目の例示的な「一覧ビュー」レイアウトを示す図である。
【図１９】データ・ソースから取り込まれた視覚的データを保存する方法を示すフローチャートである。
【図２０】データ・ソースからの視覚的データを共有する方法を示すフローチャートである。
【図２１】データ・ソースからの画像データおよび非画像データを保存するための方法を示すフローチャートである。
【符号の説明】
【００９２】
１００  ネットワーキング環境
１１０  ネットワーク
１２０  クライアントＡ
１２４  クライアントＢ
１２８  クライアントＺ
１３０  モバイル・デバイス
１４０  サーバーＡ
１４２  サーバーＢ
１５０  データベースＡ
１５２  データベースＢ
１６０  タワー
２００  ウェブページからデータを取り込む方法
２０２  ウェブ・ページのデータの取り込み要求を受領
２０４  取り込まれるべきウェブ・ページの選択データを受領
２０６  ウェブ・ページの選択されたデータを取り込み
２０８  少なくとも一つのサーバーおよび／または少なくとも一つのデータベースに、取り込まれたデータまたは取り込まれたデータ・セグメントを送る
３００  データを「ボックスして保存する（Box  and  Save）」方法
３０２  ウェブ・ページのデータをボックスして保存する要求を受領
３０４  ウェブ・ページからの選択データを受領
３０６  一組のカテゴリーを提供
３０８  選択されたデータに関連付けるべき要求されたカテゴリーを受領
３１０  選択されたデータに情報を関連付ける
３１２  選択されたデータおよび／または選択されたデータに関連付けられた情報を、記憶のための一つもしくは複数のデータベースおよび／または一つもしくは複数のサーバーに送る
４００  「ボックスして送る（Box  and  Send）」コマンドを実行する方法
４０２  ウェブ・ページの選択されたデータをボックスして送る要求を受領
４０４  ウェブ・ページからの選択されたデータを受領
４０６  選択されたデータに関する電子メール・メッセージを生成
４０８  上記電子メール・メッセージを受信者に送る
５００  ウェブページ
５１０  ツールバー
６２０  灰色にされたウェブページ
６３０  プロンプト
７２０  保存されるべきウェブページの領域
７３０  ボックス・バー
７４０  境界
７５０  プロンプト
８１０  関連付け
８２０  「Stuff」ボックス
９１０  ダイアログ・ボックス
９２０  電子メール・アドレス・フィールド
９３０  受信者リスト
９４０  件名フィールド
９５０  メッセージ本文フィールド
９６０  保存選択
１０１０  挨拶
１０２０  リンク
１０３０  コンテンツ項目
１１１０  アラート
１２００  ホスト・アプリケーション
１２１０  ボックス
１２２０  コンテンツ項目
１２３０  コンテナ
１３００  ホスト・アプリケーション・ウェブページ
１３１０  灰色でつぶされたボックス
１３２０  ダイアログ・ボックス
１３２２  URL作成フィールド
１３２４  ボックス共有フィールド
１３２６  ボックス１３１０が共有されているユーザーのリスト
１３２８  電子メール受信者リスト
１４００  ウェブページからのデータを取り込む方法
１４０２  ウェブ・ページのデータ取り込み要求を受領
１４０４  ウェブ・ページの選択されたデータを受領
１４０６  コンテンツ項目を生成
１５００  データを取り込み、送る方法
１５０２  送信要求を受領
１５０４  取り込み領域を指定
１５０６  取り込み領域を提供
１５０８  データを受領
１５１０  受信者アドレスに関連付けられたデータを受領
１５１２  受信者アドレスにリンクを送る
１５１４  受信者アドレスに受領されたデータを送る
１６００  ブラウザによって表示されるウェブページのある領域を保存する方法
１６０２  ウェブ・ページの領域を保存する要求を受領
１６０４  ブラウザ活動を抑制
１６０６  ウェブ・ページの領域の定義を受領
１６０８  境界を提供
１６１０  画像データの抽出を開始
１６１２  非画像データの抽出を開始
１６１４  一組のカテゴリーを提供
１６１６  カテゴリーの選択を受領
１６１８  コンテンツ項目を生成
１６２０  抑制されたブラウザ活動を解放
１７１０  スライダー
１９００  データ・ソースから取り込まれた視覚的データを保存する方法
１９０２  データ・ソースから取り込まれた視覚的データを受領
１９０４  コンテンツ項目を生成
２０００  データ・ソースからの視覚的データを共有する方法
２００２  視覚的データを受領
２００４  コンテンツ項目を生成
２００６  受信者アドレス・データを受領
２００８  データ・ソースに関連付けられたリンクを受信者アドレスに送る
２０１０  コンテンツ項目を受信者アドレスに送る
２０１２  リンクを受信者アドレスに送る
２１００  データ・ソースからの画像データおよび非画像データを保存する方法
２１０２  データ・ソースから画像データおよび非画像データを受領
２１０４  一組のカテゴリーを受領
２１０６  カテゴリーの選択を受領
２１０８  コンテンツ項目を生成
【図１】
2009301532.tif 000003
【図２】
2009301532.tif 000004
【図３】
2009301532.tif 000005
【図４】
2009301532.tif 000006
【図５】
2009301532.tif 000007
【図６】
2009301532.tif 000008
【図７】
2009301532.tif 000009
【図８】
2009301532.tif 000010
【図９】
2009301532.tif 000011
【図１０】
2009301532.tif 000012
【図１１】
2009301532.tif 000013
【図１２】
2009301532.tif 000014
【図１３】
2009301532.tif 000015
【図１４】
2009301532.tif 000016
【図１５】
2009301532.tif 000017
【図１６】
2009301532.tif 000018
【図１７】
2009301532.tif 000019
【図１８】
2009301532.tif 000020
【図１９】
2009301532.tif 000021
【図２０】
2009301532.tif 000022
【図２１】
2009301532.tif 000023